(57)【要約】【目的】内面を部分的に鏡面化した透明球体に入れた起き上がり小法師部材の動きによって視覚的変化を実現し、装飾目的で各種物品にアクセサリー的に組合わせることができる新しい透明球体製品を提供する。【構成】透明なプラスチック素材などによる球体１の内面面積の４０％以上が鏡面化処理されており、鏡面化部３に対する映り込み面積が鏡面化部面積の３０％以上となるように大きさや形状を規制した起き上がり小法師部材２が少なくとも１つ封入された中空状透明球体１であって、僅かな振動によって起き上がり小法師部材２がユラユラ揺れることで鏡面化部３に対する映り込みが多彩に変化して視覚的な変化を楽しむことができるようにされている。【選択図】            図１
2005052228.tif 000002
【特許請求の範囲】
【請求項１】
透明なプラスチック素材などによる球体の内面面積の４０％以上が鏡面化処理されており、鏡面化部に対する映り込み面積が鏡面化部面積の３０％以上となるように大きさや形状を規制した起き上がり小法師部材が少なくとも１つ封入された中空状透明球体であって、僅かな振動によって起き上がり小法師部材がユラユラ揺れることで鏡面化部に対する映り込みが多彩に変化して視覚的な変化を楽しむことができるようにされていることを特徴とする、内面を部分的に鏡面化し起き上がり小法師部材を封入した透明球体。
【請求項２】
球体に封入される起き上がり小法師部材の表面が光を反射するように鏡面化処理されていることを特徴とする、請求項１に記載の内面を部分的に鏡面化し起き上がり小法師部材を封入した透明球体。
【請求項３】
透明球体が分割可能であり、封入した起き上がり小法師部材を交換することができるようにしたことを特徴とする、請求項１または請求項２に記載の内面を部分的に鏡面化し起き上がり小法師部材を封入した透明球体。
【請求項４】
透明球体の鏡面化部以外の透明部分がレンズ状に形成されていることで、該透明部分から透明球体内部を観察するとレンズを介した視覚的変化が生じることを特徴とする、請求項１〜請求項３の何れか１つに記載の内面を部分的に鏡面化し起き上がり小法師部材を封入した透明球体。
【請求項５】
請求項１〜請求項４の何れか１つに記載の透明球体を利用して髪留め、携帯電話用ストラップ、指輪、ボールペン、シャープペンシル、容器、ペットボトルキャップなどと組合わせた物品とすることを特徴とする、内面を部分的に鏡面化し起き上がり小法師部材を封入した透明球体を利用した物品。
【発明の詳細な説明】
【０００１】
【発明の属する技術分野】
本発明は、内面を部分的に鏡面化した透明球体に入れた起き上がり小法師部材の動きによって視覚的変化を実現し、装飾目的で各種物品にアクセサリー的に組合わせることができる新しい透明球体製品を提供するものである。
【０００２】
【従来の技術】
装飾的観点で透明球体を用いることはその表面や内部に彩色したり模様を描くことでそれなりに各種物品において実現されている。例えば、髪飾りやキーホルダー、携帯電話のストラップにおいて装飾目的の付属品に透明球体を利用することが実際に行なわれている。また、装飾処理の一環として、球体表面を鏡状に仕上げる例もないわけではない。
【０００３】
起き上がり小法師は、僅かな振動によってユラユラ揺れながらも常に直立状態を維持しようとする動作が興味深いものとして玩具や置き人形用に古くから採用されているものである。
【０００４】
【発明が解決しようとする課題】
しかし、上記したような従来の技術では球形なら球形の形状自体をアクセサリー的に利用するものが殆どで、意外性ある動きや装飾手法によって需要者の意識を惹くような提案はそれ程なされていない。
【０００５】
つまり、収容物品が中空球体内の球面上を転がり動く状態が外部から観察できるようにされることによる意外性に着目したり、鏡面化した部分に映り込むことによる面白さに着目してこれらを装飾目的に応用して各種アクセサリー部材に採用することはなされていないのである。
【０００６】
また、起き上がり小法師の動きそのものは良く知られたところであるが、これをアクセサリー部材の付属品として採用して動きの面白さを実現しようという提案も従来技術には見出せない。
【０００７】
アクセサリー部材に付属品に可動部分を設ける発想は従来からそれなりになされているが、動力を用いたり、特別な可動操作を必要とする構成を採るものが殆どであり、何ら特別な操作や構造を必要とせず物品の形状自体に起因する動作を装飾目的に利用してアクセサリー部材に採用しようとする提案は従来技術には存在していない。
【０００８】
【課題を解決するための手段】
本発明は、上記したような従来技術における課題を解消することについて、実験と検討を繰り返し行い創案されたものであって、透明の中空状球体の内面を部分的に鏡面化すると共に該球体内部に所定以上のサイズとされた起き上がり小法師部材を封入することで外部からの僅かな振動でユラユラと動き続ける部材の動作を鏡面にも映し込みながら装飾性を向上する新たな製品を提案するものであって具体的には以下の如くである。
【０００９】
（１）  透明なプラスチック素材などによる球体の内面面積の４０％以上が鏡面化処理されており、鏡面化部に対する映り込み面積が鏡面化部面積の３０％以上となるように大きさや形状を規制した起き上がり小法師部材が少なくとも１つ封入された中空状透明球体であって、僅かな振動によって起き上がり小法師部材がユラユラ揺れることで鏡面化部に対する映り込みが多彩に変化して視覚的な変化を楽しむことができるようにされていることを特徴とする、内面を部分的に鏡面化し起き上がり小法師部材を封入した透明球体。
【００１０】
（２）  球体に封入される起き上がり小法師部材の表面が光を反射するように鏡面化処理されていることを特徴とする、前記（１）項に記載の内面を部分的に鏡面化し起き上がり小法師部材を封入した透明球体。
【００１１】
（３）  透明球体が分割可能であり、封入した起き上がり小法師部材を交換することができるようにしたことを特徴とする、前記（１）項または（２）項に記載の内面を部分的に鏡面化し起き上がり小法師部材を封入した透明球体。
【００１２】
（４）  透明球体の鏡面化部以外の透明部分がレンズ状に形成されていることで、該透明部分から透明球体内部を観察するとレンズを介した視覚的変化が生じることを特徴とする、前記（１）項〜（３）項の何れか１つに記載の内面を部分的に鏡面化し起き上がり小法師部材を封入した透明球体。
【００１３】
（５）  前記（１）項〜（４）項の何れか１つに記載の透明球体を利用して髪留め、携帯電話用ストラップ、指輪、ボールペン、シャープペンシル、容器、ペットボトルキャップなどと組合わせた物品とすることを特徴とする、内面を部分的に鏡面化し起き上がり小法師部材を封入した透明球体を利用した物品。
【００１４】
【作用】
透明なプラスチック素材などによる球体の内面面積の４０％以上が鏡面化処理されており、鏡面化部に対する映り込み面積が鏡面化部面積の３０％以上となるように大きさや形状を規制した起き上がり小法師部材が少なくとも１つ封入された中空状透明球体であって、僅かな振動によって起き上がり小法師部材がユラユラ揺れることで鏡面化部に対する映り込みが多彩に変化して視覚的な変化を楽しむことができるようにされていることで、球体の内面面積に対して大きな割合を占める鏡面化部に所定サイズ以上の起き上がり小法師部材を映り込ませて、その動きの面白さを鏡面上にも映して観察可能なものとなし、装飾的効果を視覚的に拡張して見せることのできる部材が実現できる。
【００１５】
球体に封入される起き上がり小法師部材の表面が光を反射するように鏡面化処理されていることで、球体内面の鏡面化処理部とも相俟って相互に映り込み状態が実現し、より複雑な視覚的変化に富んだ装飾性が達成されることとなる。
【００１６】
透明球体が分割可能であり、封入した起き上がり小法師部材を交換することができるようにしたことで、封入する部材交換による視覚的効果のヴァリエーションを豊富なものとし、また、個人的な美感やコレクション性をも満たす商品展開を行なうことができるようになる。
【００１７】
透明球体の鏡面化部以外の透明部分がレンズ状に形成されていることで、該透明部分から透明球体内部を観察するとレンズを介した視覚的変化が生じることにより、封入された起き上がり小法師部材の動きや鏡面化部への映り込みによる視覚的変化に加えてレンズ（凹凸両レンズを含む）を介した観察により実現する視覚的な変化も併せて実現されることになり、より意外性のある視覚的装飾性が実現されることとなる。
【００１８】
上記した何れかの本発明による透明球体を利用して髪留め、携帯電話用ストラップ、指輪、ボールペン、シャープペンシル、容器、ペットボトルキャップなどと組合わせた物品とすることで、従来にない装飾性向上を実現した付属的アクセサリー部材を備えた各種物品を提供することが可能となる。
【００１９】
【発明の実施の形態】
上記した本発明の具体的な実施形態の若干例について、添付図面を利用して説明すると以下のとおりである。
すなわち、図１は本発明の中空状の透明球体１についての基本的構成関係を示すものである。
【００２０】
中空状の透明球体１を構成する素材はプラスチック樹脂などを採用すればよいが、本発明の場合にはそれなりの強度を持った硬質プラスチックが望ましい。また、透明球体１の形状は内面形状も含めて略真球状であるべきだが、封入する起き上がり小法師部材２の運動が阻害されない限りで適当な変形が施されていても構わない。
【００２１】
中空状の透明球体１の内面はその面積の４０％以上を鏡面化部３となるように処理し、その鏡面化部３において封入された起き上がり小法師部材２を映し込むようにしている。中空状の透明球体１を、その透明部分４を介して外部から観察する者は、封入された起き上がり小法師部材２そのものと鏡面化部３に映り込んだその姿の両者を見ることになるものである。
【００２２】
鏡面化部３の面積は上記のように少なくとも４０％以上、好ましくは５０％程度とすべきである。鏡面化部３に映っている起き上がり小法師部材２の姿も視覚的に装飾効果を有するものなので可能な限り鏡面化部３を大きくとる方が望ましいからである。しかし、あまり鏡面化部３を大きくし過ぎると外部からの観察に必要な透明部分４が相対的に小さくなってしまい中空状の透明球体１の装飾的効果が阻害されてしまう。ただし、例えば、鏡面化部３の面積を６０％以上（透明部分４の面積を４０％以下）として、透明部分４から覗き込むと中空状の透明球体１の内面全体に起き上がり小法師部材２の姿が映し込まれているように構成し異なった面白さを実現することも構わない。
【００２３】
起き上がり小法師部材２は、軽量なプラスチック樹脂などで形成し、外観としてはキャラクター部材５などを利用して作成するのが好ましい。金属製の重り６などを下部に入れて常にキャラクター部材５が直立状態を維持する作用が働くようにしておく。起き上がり小法師部材２の下部形状は球形の如きを利用して外部からの振動によってユラユラと不安定に揺れ動き易いものとしておく。
また、その大きさは鏡面化部３の面積の３０％以上になるように規制しておくべきである。これ以下の大きさでは、鏡面化部３への映り込み映像が小さいものとなってしまい、装飾的な効果が少なくなってしまうからである。
【００２４】
起き上がり小法師部材２の表面は、装飾的な観点から、できるだけ鮮やかな色彩で彩色し、適宜な模様や塗り分けを施しておくべきである。本発明の透明球体１では、封入した起き上がり小法師部材２そのものと共にそれが鏡面化部３に映された状態をも併せて観察して視覚的変化を楽しませるものであり、明確な映り込み像を実現するにはできるだけ鮮明な色彩や模様を採用しておくのが好ましいからである。
【００２５】
また、起き上がり小法師部材２は上記したように中空状の透明球体１の内部で僅かな振動によってもユラユラと揺れながら直立状態を維持しようとするもので、この揺れ動きが継続している間は鏡面化部３に映り込んだ映像も揺れ動くことになり、さらに鏡面化部３の形状が中空状の透明球体１の内面形状に一致する略凹面形状となっていることから、通常の鏡に映った映像よりも視覚的に変化に富んだものとなり、起き上がり小法師２自体と鏡面化部３に映ったその映像とが相俟って装飾的効果に優れたものが実現されることになる。
【００２６】
さらに、起き上がり小法師部材２自体の表面も彩色や模様、塗り分けと共に金属的光沢を持った鏡面化処理による仕上げを部分的又は全面的に施しておけば、透明球体１の鏡面化部３とも相俟って、より複雑な映り込み映像が形成されることとなり、本発明の中空状の透明球体１をアクセサリー素材とする場合の装飾的効果はより増すことになる。
【００２７】
また、中空状の透明球体１自体を２つに分割可能なものとして構成しておけば、必要に応じて封入する起き上がり小法師部材２を交換したり、追加することができることになり、需要者の美感や趣味性、コレクション性に応えた商品シリーズの展開などが自由に行なうことができるようになる。
【００２８】
上記したような起き上がり小法師部材２の大きさに対する規制は、中空状の透明球体１に封入される１個の起き上がり小法師部材２に関して満たされるものであれば良いが、２個以上の起き上がり小法師部材２を組合わせたり、それ以外の装飾的部材と組合わせることで満足されるものであっても良い。
【００２９】
以上のような本発明の中空状の透明球体１は、これをアクセサリー用の付属部材として様々な物品と組合わせて商品化することが可能であり、このような組合わせ例の若干を以下に実施例として示す。
【００３０】
【実施例１】
図１に示した基本形状の中空状の透明球体１は、図２に示すように多様な物品と組合わせることが可能である。
すなわち、図２（ａ）に示すようにシャープペンシルやボールペンといった筆記用具７の筆記軸頂端部に取付けることでアクセサリー的付属品として装飾的機能を果たすことになる。この場合の筆記部８に関する出没操作は、取付けられた中空状の透明球体１を介した筆記軸頂端部に対するノック操作や筆記軸に取付けられたクリップ部９に対するノック操作として行なうことができるものよしておけばよい。
【００３１】
中空状の透明球体１に封入された起き上がり小法師部材２はノック操作や筆記操作に起因する振動によってユラユラと揺れ動き、その姿は中空状の透明球体１の内面に形成された鏡面化部３にも映し出され、起き上がり小法師部材２や鏡面化部３の大きさが前記したように規制されていることから、本発明の中空状の透明球体１を外部から観察する者は、あたかも球体全体が鮮やかな色彩や模様を施されしかも不規則にユラユラ揺れ動いているかの如き視覚的印象を受けその美感を刺激されることになる。
【００３２】
図２（ｂ）は、この基本形状の中空状の透明球体１を携帯電話などに取付けて用いるストラップ１０に応用する場合の１例について示している。ストラップ１０は携帯電話などに関してアクセサリー的な目的で広く用いられており、新たな装飾性を実現する付属品が求められているが、このような装飾的付属品として本発明の中空状の透明球体１は有効利用できるものである。
【００３３】
図２（ｃ）は、基本形状の中空状の透明球体１を２個組合わせてゴム紐１１などで連結して髪留め１２として用いる場合の１例を示している。この場合には、ゴム紐１１は基本形状の中空状の透明球体１の連結突部１３に設けられた開孔部１４に挿通してリング状となし結び合わせればよい。この連結突部１３は、筆記用具７や携帯電話等のストラップ１０に対して基本形状の中空状の透明球体１を連結する場合にも有効に利用することができる。
【００３４】
図２（ａ）〜（ｃ）に示したように、連結突部１３及び開孔部１４を形成した本発明の基本形状の中空状の透明球体１を利用すれば、筆記用具７やストラップ１０、髪留め１２などのアクセサリー的附属品として応用することが容易であり、同様の関係はその他にも多くの物品について成立つものである。
【００３５】
【実施例２】
本発明の中空状の透明球体１については、上記のような基本形状を採用しないで応用すべき物品の特性に合わせた構成を採用するものとして構わない。
すなわち、図３には髪留め１２として本発明の中空状の透明球体１を応用する場合に関して、特別な形状構成を採用する場合の若干例を示している。
【００３６】
図３（ａ）は、透明球体１自体、にリング状とするゴム紐１１を挿通するための孔部１５を設ける場合について示している。このような構成を採用するのであれば、中空状の透明球体１の外観形状である略真球形状を十分に活かした髪留め１２とすることができる。
図示の場合では、孔部１５を中空状の透明球体１の透明部分４に設けているが、鏡面化部３に孔部１５を設けてゴム紐１１を挿通して髪留め１２としても構わない。
【００３７】
しかしながら、この孔部１５を透明部分４又は鏡面化部３の何れかに形成する場合には、この孔部１５およびゴム紐１１の存在のために外部からの観察が若干阻害されてしまい、装飾的効果が損なわれてしまう。
そこで、図３（ｂ）にあるように、鏡面化部３で中空状の透明球体１の内部を２つに分割する構成とし、一方の空間には起き上がり小法師部材２を封入し、他方には孔部１５を設けてゴム紐１１による連結に使用するものとしている。このような構成を採用すれば、透明部分４も鏡面化部３も何れもゴム紐１１による連結のために利用されないので、透明球体１自身の略真球形状を十分に活かしながら、装飾的効果も損なわずに髪留め１２として応用することができる。
【００３８】
【実施例３】
さらに、本発明の中空状の透明球体１は応用する物品の特性に合わせた形状設計を施すことで、図４にその若干例を示すようなさまざまな物品の一部として応用することが可能である。
【００３９】
すなわち、図４（ａ）は、指輪１６として応用する場合の１例を示しており、指輪１６と一体化したものとして透明球体１を形成している。指輪１６にアクセサリー付属品として中空状の透明球体１を取付けるこのような構成とすることで、視覚的変化性に富んだ装飾的効果の高い指輪１６が実現されることとなる。
【００４０】
図４（ｂ）は、各種の小物品を収容する容器１７（カンペンなどと称される容器）の蓋部分１７ａに本発明の透明球体１を埋め込んだ場合について示している。この場合には、透明球体１の球体形状が蓋部分１７ａの表面に突出しないように専用の埋め込み部材１８と一体的なものとして所定箇所に埋め込むものとすべきである。
【００４１】
さらに、この場合には蓋部分１７ａの上からのみ観察されることになるので、図示のように中空状の透明球体１の上半分部分を透明部分４となし、下半分部分の内面を鏡面化部３としておくことが望ましい。このような構成によって従来にない視覚的装飾性に優れた物品容器１７を得ることができるようになる。
【００４２】
図４（ｃ）は、本発明の中空状の透明球体１をストロー付きのペットボトル用キャップ１９に応用する場合の１例について示している。
このようなストロー付きペットボトルキャップ１９は広く市販されており、キャラクター部材５などを利用したアクセサリー的付属品を開閉蓋２０部分に採用する場合が多い。
【００４３】
図示のものはこのような開閉蓋部分２０のアクセサリー的付属品として本発明の中空状の透明球体１を応用するものである。
また、ストローなどを付けていないペットボトル用のキャップ自体に対してそのアクセサリー的付属品として本発明の透明球体１を応用する構成も当然に可能である。
【００４４】
上記の各実施例に示した物品以外に対してもその特性に応じた設計等を施すことで本発明の中空状の透明球体１をアクセサリー的付属品として応用することが可能であることは容易に理解されるところであり、その従来にない視覚的装飾性を活かした多様な製品展開等が実現可能である。
【００４５】
【発明の効果】
以上説明したような本発明によるならば、内面を部分的に鏡面化した中空状の透明球体に適宜な彩色や模様、塗分けを施しキャラクター形状などを利用した起き上がり小法師を封入することでその動きや鏡面化部への写り込み像の視覚的変化を利用した効果的な装飾性が実現され、しかもこの透明球体を様々な物品のアクセサリー的付属品として応用することが容易であり、従来技術にない新たな製品を提案することにより市場に新たな需要を喚起し得るものであって、工業的にその価値が高い発明である。
【図面の簡単な説明】
【図１】本発明の中空状透明球体の基本形状について示した図面である。
【図２】基本形状の透明球体を応用した各種物品の幾つかの例について示した図面である。
【図３】本発明の透明球体を髪留めの応用するために基本形状以外の専用設計を施す場合の若干例をしめした図面である。
【図４】専用設計を施すことでより適切に対応できる各種物品についての応用例の幾つかを示した図面である。
【符号の説明】
１    本発明の中空状の透明球体
２  起き上がり小法師部材
３  鏡面化部
４  透明部分
５  キャラクター部材
６  金属製の重り
７  筆記用具
８  筆記部
９  クリップ部
１０  ストラップ
１１  ゴム紐
１２  髪留め
１３  連結突部
１４  開孔部
１５  孔部
１６  指輪
１７  容器
１７ａ    容器の蓋部分
１８  専用埋め込み部材
１９  ストロー付きペットボトルキャップ
２０  開閉蓋部分
【図１】
2005052228.tif 000003
【図２】
2005052228.tif 000004
【図３】
2005052228.tif 000005
【図４】
2005052228.tif 000006